(57)【要約】      （修正有）【課題】リュックサックを脱着しないで小物を出し入れでき、且つ、収容した小物の視認性を高めて盗難に対する安全性を向上することができるリュックサックを提供する。【解決手段】両肩に背負って荷物を収容するリュックサック１００であって、荷物を収容する本体部１０と、本体部１０の背面の上部と下部とに取り付けられた右用肩ベルト１１と、本体部１０の背面の上部と下部とに取り付けられた左用肩ベルト１２と、右用肩ベルト１１の中央部および／または左用肩ベルト１２の中央部に取り付けられた袋部材１１Ａ、１２Ａとを有し、袋部材１１Ａ、１２Ａは、線状ファスナー部材１１Ｂ、１２Ｂを備え、線状ファスナー部材１１Ｂ、１２Ｂは、対になった一組の線状の留め具に沿ってスライダーを移動することで該留め具の務歯が順次組み合わさって、袋部材１１Ａ、１２Ａを開閉する。【選択図】図１
0003211350.tif 000002
【実用新案登録請求の範囲】
【請求項１】
両肩に背負って荷物を収容するリュックサックであって、
前記荷物を収容する本体部と、
前記本体部の背面の上部と下部とに取り付けられた右用肩ベルトと、
前記本体部の背面の上部と下部とに取り付けられた左用肩ベルトと、
前記右用肩ベルトの中央部および／または前記左用肩ベルトの中央部に取り付けられた袋部材と
を有し、
前記袋部材は、線状ファスナー部材を備え、
前記線状ファスナー部材は、対になった一組の線状の留め具に沿ってスライダーを移動することで該留め具の務歯が順次組み合わさって、前記袋部材を開閉する、
ことを特徴とするリュックサック。
【請求項２】
前記線状ファスナー部材は、前記右用肩ベルトまたは前記左用肩ベルトに平行して、上下に開閉可能に取り付けている、
ことを特徴とする、請求項１に記載のリュックサック。
【請求項３】
前記袋部材は、縦１５０ｍｍから２５０ｍｍ、横１００ｍｍから１５０ｍｍである、
ことを特徴とする、請求項１または請求項２に記載のリュックサック。
【考案の詳細な説明】
【技術分野】
【０００１】
両肩に背負って荷物を収容するリュックサックに関する。
【背景技術】
【０００２】
特許文献１では、被収容物を収容して背負うリュックサックであって、背負った際に背中に対向する背当て部に設けられたベースと、前記ベースに傾動可能に固定される少なくとも１つのスペーサと、前記スペーサを前記ベースから離間する固定角度で固定する固定機構と、を備えるリュックサックに関する技術を開示している。特許文献２では、荷物収容部と、左右２本の肩紐と、左右ベルト片からなる胸ベルトと、前記左右ベルト片を着脱自在に接続する接続具を有するリュックサックにおいて、前記左右各ベルト片が前記左右各肩紐に対して三角形を形成するように固定される手段を有することを特徴とするリュックサックに関する技術を開示している。
【先行技術文献】
【特許文献】
【０００３】
【特許文献１】特開２０１７−５１４４３号公報
【特許文献２】特開２０１７−４２４７２号公報
【考案の概要】
【考案が解決しようとする課題】
【０００４】
リュックサックは背中側の収納部分に収納するのが一般的である。一方、収納部分が背中側にあるため、リュックサックは盗難の危険性が高いという問題があった。また、貴重品や使用頻度の高い小物等を出し入れする際に、その都度リュックサックを脱着しなければならない不便さがあった。特許文献１及び特許文献２に開示されている技術では、貴重品等の小物の出し入れを簡単にできる方法の記載がない。
【０００５】
本考案は、両肩に背負って荷物を収容するリュックサックであって、リュックサックを脱着しないで小物を出し入れでき、且つ、収容した小物の視認性を高めて盗難に対する安全性を向上することができるリュックサックを提供することを目的とする。
【課題を解決するための手段】
【０００６】
上記課題を解決するために、本考案の一つの実施形態は、両肩に背負って荷物を収容するリュックサックであって、前記荷物を収容する本体部と、前記本体部の背面の上部と下部とに取り付けられた右用肩ベルトと、前記本体部の背面の上部と下部とに取り付けられた左用肩ベルトと、前記右用肩ベルトの中央部および／または前記左用肩ベルトの中央部に取り付けられた袋部材とを有し、前記袋部材は、線状ファスナー部材を備え、前記線状ファスナー部材は、対になった一組の線状の留め具に沿ってスライダーを移動することで該留め具の務歯が順次組み合わさって、前記袋部材を開閉する、ことを特徴とするリュックサックを提供する。
【０００７】
本考案の他の実施形態は、上記のリュックサックであって、前記線状ファスナー部材は、前記右用肩ベルトまたは前記左用肩ベルトに平行して、上下に開閉可能に取り付けている、ことを特徴とするリュックサックであってもよい。
【０００８】
本考案の他の実施形態は、上記のいずれかのリュックサックであって、前記袋部材は、縦１５０ｍｍから２５０ｍｍ、横１００ｍｍから１５０ｍｍである、ことを特徴とするリュックサックであってもよい。
【考案の効果】
【０００９】
本考案に係るリュックサックによれば、リュックサックを肩から脱着しないで小物を出し入れでき、且つ、収容した小物の視認性を高めて盗難に対する安全性を向上することができる。
【図面の簡単な説明】
【００１０】
【図１】本考案の実施形態に係るリュックサックの例を説明する説明図である。
【図２】本考案の実施形態に係るリュックサックの使用例を説明する説明図である。
【図３】本考案の実施形態に係るリュックサックの一例を説明する説明図である。
【図４】本考案の実施形態に係るリュックサックの一例を説明する説明図である。
【考案を実施するための形態】
【００１１】
実施形態に係るリュックサックの例を用いて、本考案を説明する。なお、本考案は、以後に説明するリュックサック以外でも、肩に掛けてものを収容することができるもの（部品、部材、商品、製品など）であれば、いずれのものにも用いることができる。ここで、リュックサックの色は、特に限定されない。リュックサックの色は、透明、半透明、色付きのものであってもよい。また、リュックサックの色は、説明書きを付記したもの、使用者（消費者）の趣味趣向に合わせた柄のものであってもよい。リュックサックの形状の隅部は、角ばっていてもよく、丸みを帯びていてもよい。
【００１２】
以後に、本考案を説明する。
【００１３】
図１および図２を用いて、本考案の実施形態に係るリュックサックの構成を説明する。ここで、図１は、本考案の実施形態に係るリュックサック１００の例を説明する説明図である。図２（ａ）乃至（ｃ）は、本考案の実施形態に係るリュックサック１００の使用例を説明する説明図である。なお、図１に示すリュックサックの構成等は一例であり、本考案は図１等に示すリュックサックに限定されるものではない。
【００１４】
図１に示すように、本考案に係るリュックサック１００は、両肩に背負って荷物を収容するものである。リュックサック１００は、本実施形態では、荷物を収容する本体部１０と、本体部１０の背面の上部と下部とに取り付けられた右用肩ベルト（ショルダーストラップなど）１１と、本体部１０の背面の上部と下部とに取り付けられた左用肩ベルト（ショルダーストラップなど）１２と、右用肩ベルト１１の中央部に取り付けられた袋部材１１Ａと、左用肩ベルト１２の中央部に取り付けられた袋部材１２Ａと、右用肩ベルト１１と左用肩ベルト１２との位置を固定するベルト固定部材１３とを有する。なお、本考案は、袋部材１１Ａと袋部材１２Ａとをいずれか一方または両方を備えるものであってもよい。また、本考案に係るリュックサック１００の本体部１０の大きさ及び形状は、特に限定されない。
【００１５】
袋部材１１Ａは、線状ファスナー部材１１Ｂを備える。袋部材１２Ａは、線状ファスナー部材１２Ｂを備える。ここで、線状ファスナー部材とは、対になった一組の線状の留め具に沿ってスライダーを移動することで、留め具の務歯が順次組み合わさって、袋部材（１１Ａ、１２Ａ）を開閉するものである。袋部材１１Ａおよび袋部材１２Ａは、ファスナーで容易に開閉できる収容部分として、リュックサック自体をその都度脱着する必要がなく、利用者の胸元に当たる部分に、例えばパスポート、財布やスマホなどを収容するスペースとして利用することができる。なお、本考案に係る線状ファスナー部材の構成等は公知の技術を用いることができる。
【００１６】
図２（ａ）乃至（ｃ）に示すように、本考案に係る袋部材（１１Ａ、１２Ａ）の大きさは、本実施形態では、縦１５０ｍｍから２５０ｍｍ、横１００ｍｍから１５０ｍｍである。本考案に係る袋部材（１１Ａ、１２Ａ）の大きさは、縦２１０ｍｍ、横１２０ｍｍであってもよい。また、本考案に係る線状ファスナー部材（１１Ｂ、１２Ｂ）は、右用肩ベルト１１または左用肩ベルト１２に平行して、上下に開閉可能に取り付けている。
【００１７】
これにより、本考案に係るリュックサック１００は、袋部材（１１Ａ、１２Ａ）を用いて、リュックサックを背負うという通常方法により使用した場合における内容物の盗難の危険を解消し且つ安全性を確保すること、並びに、出し入れの頻度が高い貴重品等をその都度リュックサックを脱着する面倒を省き且つ容易に出し入れすることができる。
【００１８】
図２（ａ）乃至（ｃ）に示すように、ベルト固定部材１３は、右用肩ベルト１１と左用肩ベルト１２との位置を固定するものである。これにより、本考案に係るリュックサック１００は、ベルト固定部材１３を用いて、右用肩ベルト１１と左用肩ベルト１２の位置を固定することができ、袋部材（１１Ａ、１２Ａ）の位置も胸元に固定することができる。
【００１９】
図３および図４に、本考案に係るリュックサックのその他の例を示す。なお、本考案は、図３および図４に示すリュックサック以外でも、肩に掛けてものを収容することができるもの（部品、部材、商品、製品など）であって、肩に掛けるベルト部分に貴重品などの小物を収容できる部分（袋、ポケットなど）を有するものであれば、いずれのものにも用いることができる。
【００２０】
以上のとおり、本考案に係るリュックサックによれば、袋部材を用いて、リュックサックを肩から脱着しないで小物を出し入れでき、且つ、収容した小物の視認性を高めて盗難に対する安全性を向上することができる。すなわち、本考案に係るリュックサックによれば、袋部材を用いて、貴重品等を自分の目が届く胸元に収容することができるため、盗難を予防し、安全性を確保できる効果が発生する。また、本考案に係るリュックサックによれば、袋部材を用いて貴重品等を自分の目が届く胸元に収容することができるため、貴重品等を出し入れする際にリュックサックをその都度脱着する不便さを解消することができる。
【００２１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２２】
１００  ：  リュックサック
１０  ：  本体部
１１  ：  右用肩ベルト（ショルダーストラップなど）
１１Ａ：  袋部材
１１Ｂ：  線状ファスナー部材
１２  ：  左用肩ベルト（ショルダーストラップなど）
１２Ａ：  袋部材
１２Ｂ：  線状ファスナー部材
１３  ：  ベルト固定部材
【図１】
0003211350.tif 000003
【図２】
0003211350.tif 000004
【図３】
0003211350.tif 000005
【図４】
0003211350.tif 000006